(57)【要約】      （修正有）【課題】スキーの習得を希望する人を訓練したり姿勢を保たせることに関しては種々の困難があることが知られている。中でも大きな問題は、スキー用具を正しい位置に保つよう訓練することや、正しい姿勢を保ちつつ運動を制御できるようにすることである。【解決手段】プラスチック体（１）の円筒状中空部材（２）に挿入されたスキーストックによってスキー学習者に屈曲を習得させるのに好適なスキー訓練用装置を提供する。【選択図】図１
2007097957.tif 000002
【特許請求の範囲】
【請求項１】
プラスチック本体（１）の円筒状中空部材（２）に挿入されたスキーストックによってスキー学習者に屈曲を習得させるのに好適であることを特徴とする、スキー訓練用装置。
【請求項２】
円筒状中空部材（２）のリムが二種類の角度（３、４）を有することにより、屈曲の際にスキーストックの運動を許容し、また、必要に応じて、ストックの先端を穴（６）に挿入して速度を制限したりスキー学習者を停止させたりすることを特徴とする、請求項１に記載のスキー訓練用装置。
【請求項３】
円筒状中空部材（２）に強化リム（５）を有することにより、スキーストックに加わる力（solecitations）に抵抗し、該中空部材の変形を防ぐことを特徴とする、先の請求項に記載のスキー訓練用装置。
【請求項４】
長手方向板（８、９）と後部張出し部（１０）とを備えたＵ字状体(７)を有することにより、スキーストックが偶然に外れる可能性を有しながら、例えば、ストックが確実に張出し部（１０）の後方にある状態で速度を上げたりスキー学習者を訓練したりできることを特徴とする、先の請求項に記載のスキー訓練用装置。
【請求項５】
上下溝（１５）を有するフィン（１３、１４）を有することにより、スキー板を傾けることができることを特徴とする、先の請求項に記載のスキー訓練用装置。
【請求項６】
フィン（１３、１４）の縁にスキー板交差防止用の横断リリーフ（transversal relives）（２０）を有することにより、スキー板がこれらのリリーフに接触した際には該板を正しい位置に維持することを特徴とする、先の請求項に記載のスキー訓練用装置。
【請求項７】
穴（１６、１７）にそれぞれ放射状の彫り込み（１８、１９）を有することにより、転倒した際、或いは自発的なスキー板の取り外しを行う際に、スキー板（５０）を素早く取り外すことができることを特徴とする、先の請求項に記載のスキー訓練用装置。
【請求項８】
ボディ（２４）に圧力を加えながら、スキー板の取り外しを行った一方の穴（１６或いは１７）に金属突起（２１或いは２２）を再度挿入すると、装置が再び元の形状になることを特徴とする、先の請求項に記載のスキー訓練用装置。
【請求項９】
穴（１６、１７）の軸を中心に回転することができる要素（２６）を有することを特徴とする、先の請求項に記載のスキー訓練用装置。
【請求項１０】
要素（２６）が凹部（２７）を有するため、スキー板の一方の縁を凹部（２７）の内側へ挿入することができることを特徴とする、先の請求項に記載のスキー訓練用装置。
【請求項１１】
上部が鋭利な固定用突起体（３０、３１）を有し、押す操作やねじ（３７、３８）のねじ込みによってスキー板（５０）の表面が押されることにより、該突起体がスキー板の底部に入り込むことを特徴とする、先の請求項に記載のスキー訓練用装置。
【請求項１２】
ゴム板（３３、３４、４８、４９）を有することにより、スキー板（５０）の表面を傷つけず、且つ振動を抑えることを特徴とする、先の請求項に記載のスキー訓練用装置。
【請求項１３】
スキー板への装着は、道具を用いず、単に上部角柱部材（３９、４０）を用いてねじ（３７、３８）を手でねじ込むことによって行うことを特徴とする、先の請求項に記載のスキー訓練用装置。
【発明の詳細な説明】
【技術分野】
【０００１】
スキーの習得を希望する人を訓練したり姿勢を保たせることに関しては種々の困難があることが知られている。中でも大きな問題は、スキー用具を正しい位置に保つよう訓練することや、正しい姿勢を保ちつつ運動を制御できるようにすることである。このような訓練において、スキー指導者はスキー学習者の前に立って学習者に運動の体勢をとらせ、特に学習者に屈曲や停止を指導する。
【背景技術】
【０００２】
スキー指導者のための支援機能、例えば、スキー板を揃えさせたり、スキー学習者を停止させられるようスキー板を特定の角度に保持したり、学習者を所望のモードで所望の軌道を描かせつつ屈曲させることができる機能を有する装置については知られている。
【発明の開示】
【発明が解決しようとする課題】
【０００３】
しかし、残念ながら、当該技術分野で知られている装置は単一の機能か、多くても二種類の機能しか有していない。
【課題を解決するための手段】
【０００４】
それに対し、本発明の装置は、要求される機能全てを可能にし、スキー学習者に対して高レベルの安全性を保証するものである。
【発明を実施するための最良の形態】
【０００５】
本発明の装置は、二種類の角度３及び４を有する正面リムを有する円筒状中空部材２を有するプラスチック本体（central body）１から成る。円筒状中空部材の末端は、強化リム５と円筒軸に平行な空洞６とを有する正面開口部の反対側である。円筒状部２の上部には、材料を連続させてなるＵ字状部材７が存在し、Ｕ字状部材７は、円筒状部材２に接して延びる長手方向板８及び９を有し、側面から見ると主角度（main angle）が約４５℃の形状をなし、その端部は約３０℃の下方を向く張出し部１０となっており、外部縁（outside borders）１２は角度の異なる折れ線輪郭（broken line profile）１１を形成している。
【０００６】
該本体は、更に材料を連続させてなる（即ち、一回の溶融で得られた）側部フィン１３及び１４を有し、各フィンの上下両面、且つ本体１の近傍には上下溝１５が設けられている。これら各フィンの中央部には穴１６及び１７が存在し、これらの穴にはそれぞれ彫り込み１８及び１９が放射状に施されている。前記フィンそれぞれの上部、且つ長手方向板に垂直に、横断リリーフ２０が設けられている。
【０００７】
穴１６及び１７の内側には、連結(joint)や迅速組付け(rapid coupling)用の金属突起２１及び２２が設けられており、これらの突起はそれぞれ、球状上部２３とシャープなエッジ２５を有するキノコ形状のボディ２４の下部とから成る。後に穴１６及び１７に挿入される金属突起２１及び２２は回転可能であり、大きなねじれを受けると外れるようになっている。
【０００８】
キノコ形状のボディ２４は金属合金部材２６に結合されており、金属合金部材２６は、スキー板の厚みより大きいサイズの内側凹部２７を残しながら、末端部へと分岐する第一のビーム状部分を形成していることにより、スキー板の一部を前記部材２６の凹部２７の内方へ挿入することができる。
【０００９】
金属部材２６の分岐のうち下方の部材には、ねじ穴２８及び２９が設けられており、その中には、上部が鋭利な固定用突起体３０及び３１がねじ込まれる。内側凹部２７の穴２８或いは２９に対して同心円状に空洞３２が設けられており、その中には、金属部材２６のそれぞれに対しゴム板３３及び３４が挿入接合されている。
【００１０】
分岐のうちの上方部材には、更に、ねじ穴３５及び３６が、それぞれ対応する下側のねじ穴２８及び２９と同軸上に設けられている。ねじ穴３５及び３６には、上部角柱部材３９及び４０を有するプラスチックねじ３７及び３８がねじ込まれているため、道具を用いずに手でねじ込むことができるようになっている。ねじ３７及び３８の第一の部分は軸方向止まり穴４１及び４２を有し、その中には、丸い軸状の上部材４５及び４６とゴム部材４８及び４９を外側に有する下方プレート４７とから構成されるポペットバルブ４３及び４４が挿入されている。
【００１１】
本発明の装置の使用者は、スキー板先端部５０（即ち、上方に反った部分）の上に合金部材２６の凹部２７を置き、スキー板先端部の内側部分を挿入し、スキー板が凹部２７内に固定されるまで、上部角柱部材３９及び４０を用いて手でねじ３７及び３８をねじ込む。スキー板の上部に設けられたフットブロック（foot block）内に固定用突起体の先が入り込むようにすることによって、金属ブロック２６の内部に各スキー板が固定される。本発明の装置には更に取りつけ方があって、使用者は張出し部１０が使用者自身に向くように置かなければならない。このように固定されたスキー板は金属部材２６と共に動くことができる。
【００１２】
金属部材はキノコ形状のボディ２４に結合されているため、リリーフ２０までの所定の回転限界まで回転が可能である。リリーフ２０によって得られるこの回転限界は、スキー学習者がスキー板を交差させたり正しくない方向へ向かわせたりすることを避ける上で重要である。
【００１３】
更に、フィン１３及び１４と共に双方のフィンに存在する上下溝によって、空洞１６及び１７に設けられたキノコ形状のボディ２４を有する連結部（couplings）２１及び２２の許容限界までスキー学習者はスキー板（the ski foils）を傾けることができる。このように傾けることができる以外に、スキー学習者が転倒した場合や単にリフトに乗る場合には、放射状の切込み１８及び１９があるため、キノコ形状のボディ２４はフィン１３及び／又は１４から外れる。溝１５は、フィン１３及び１４の所望の角度への可撓性を高める働きをする。
【００１４】
本発明の装置は、転倒の際のこうした自動的取り外し機能を有するため、スキー学習者に対し高い安全性を保証する。更に、リフトに乗るためや他の使用目的に応じて、スキー板を傾けて自動的な取り外しを行う。金属突起２１及び／又は２２の一方或いは両方を通すことができる放射状切り込み１８及び１９を利用して二個の穴１６及び１７の一方に球状上部２３を再度挿入する際には、フィン下部に該張出し部を注意深く挿入することによって、本発明の装置は最初の状態に戻る。
【００１５】
また、本発明の装置のスキー板への固定は、スキー板の損傷を最小限に抑えつつ非常に簡単に行える。実際、装置の固定にあたってはスキー板の下部に微小な穴が形成される。前記穴の深さの調整は、突起体３０及び３１の先の尖った上部の高さを所望の値に調整することによって行う。更に、ゴム下部３３及び３４と上部４８及び４９を有することにより、スキー板の形（the ski image）を損なうことがない上に、固定に必要な摩擦が高められる。
【００１６】
本発明の装置は更に、二種類の顕著な機能、例えば、スキー学習者を所望の方向へカーブさせることや該学習者の速度を落としたり停止させたりすることを同時に行うことができる。
【００１７】
実際に、本発明の装置は、二種類の角度３及び４を有する正面リムを有する円筒状中空部材２と、長手方向板８及び９と後部に向かって突出した張出し部１０とを有するＵ字状体７とを備えている。スキーストックの先端を円筒状中空部材２に挿入することによって、指導者はスキー学習者の速度を落としたり停止させたりことができる。
【００１８】
更に、上述の二種類の角度（例えば、上部縁４）によって、スキー学習者は曲線半径や正しい軌道を長時間滑走することができ、下降することができる。また（in joint manner）、長手方向板８及び９によって、強化リム５を有する穴６にスキーストックの先端を挿入することができ、スキーストックのレバー作用によって本発明の装置とスキー板先端の道筋を定める（make rote）ことができる。
【００１９】
また、指導者は、中空部材２からストック先端を取り外し、ストックをＵ字状体７に挿入し、張出し部の後方にスキーストックを置くことによって、スキー学習者の速度を高め、カーブの際には学習者をカーブに向けて進めたり、体勢を整えた後に学習者を前進させたりすることができる。
【００２０】
後方張出し部１０は実際に鉤状部分を形成しており、スキーストックを本発明の装置の後部へ向かって移動させることによってスキーストックを取り外す。リムの二種類の角度３及び４によって、中空部材２に挿入されたスキーストックに対して異なる角度を形成することができ、後部リム５によって、本発明の装置に剛性が与えられ、回転を可能にするためにその領域に要求される剛性が高まる。また、張出し部１０があるため、スキーストックが誤ってＵ字状体７から外れることはなく（即ち、スキーストックが容易に垂直方向に移動することはなく）、スキーストックは、後部に向かって張出し部１０の周りを回転せざるを得ない。
【００２１】
本発明の装置は、上述の機能をもたらすことに加えて寸法が小さい。即ち、片手に入るほどの寸法であるため、実用性が高い。従って、指導者は、スキー学習者のグループに本発明の装置を十分な数だけ提供することができる。
【００２２】
本発明の装置については、シート１、２、３及び４の図面に単なる表示方法で説明する。シート１の図１は２枚のスキー板に設置された本発明の装置の斜視図である。シート２の図２は金属部材２６の斜視図である。図３は本体１の斜視図である。シート３の図４は本体１の側面図である。図５は本体１の正面図である。シート４の図６、７及び８は本発明の装置の使用例を示す。特に、図６は、スキー学習者をカーブさせたり停止させたりするために中空部材２に挿入されたスキーストックを示す。図７は、スキー学習者の速度を高めるためにＵ字状体７に挿されたスキーストックを示す。図８は取り外された装置の斜視図である。
【図面の簡単な説明】
【００２３】
【図１】図１は２枚のスキー板に設置された本発明の装置の斜視図である。
【図２】図２は金属部材２６の斜視図である。
【図３】図３は本体１の斜視図である。
【図４】図４は本体１の側面図である。
【図５】図５は本体１の正面図である。
【図６】図６は、スキー学習者をカーブさせたり停止させたりするために中空部材２に挿入されたスキーストックを示す図である。
【図７】図７は、スキー学習者の速度を高めるためにＵ字状体７に挿されたスキーストックを示す図である。
【図８】図８は取り外された装置の斜視図である。
【符号の説明】
【００２４】
１    プラスチック本体
２    円筒状中空部材
３，４  リムが有する角度
５    強化リム
７    Ｕ字状体
８，９  長手方向板
１０  張り出し部
１３，１４  フィン
１５  上下溝
１６，１７  穴
１８，１９  彫り込み
２０  横断リリーフ（transversal relives）
２１，２２  金属突起
２４  ボディ
２６  要素
２７  凹部
３０，３１  固定用突起
３３，３４  ゴム板
３７，３８  ねじ
３９，４０  上部角柱部材
４８，４９  ゴム板
５０  スキー板
【図１】
2007097957.tif 000003
【図２】
2007097957.tif 000004
【図３】
2007097957.tif 000005
【図４】
2007097957.tif 000006
【図５】
2007097957.tif 000007
【図６】
2007097957.tif 000008
【図７】
2007097957.tif 000009
【図８】
2007097957.tif 000010
【外国語明細書】
2007097957.tif 000011
2007097957.tif 000012
2007097957.tif 000013
2007097957.tif 000014
2007097957.tif 000015
2007097957.tif 000016
2007097957.tif 000017
Representative Drawing
Fig.1
2007097957.tif 000018
2007097957.tif 000019
2007097957.tif 000020
2007097957.tif 000021